(57)【特許請求の範囲】
【請求項１】
収納空間が形成され且つ前記底板が左右両側板の下端部よりも上方位置に設けられているキャビネット本体と、前記底板の下側の底板の前端よりも後退した位置に設けられた幕板と、前記キャビネット本体に前記収納空間を開閉可能に取り付けられた扉と、前記幕板と前記側板の下端部と前記底板の前端部とに囲まれた凹部に設けられた係止片と、前記扉に設けられ且つ前記係止片に係止されるラッチと、前記扉の表側に設けられて前記ラッチの前記係止片への係止の解除操作をさせるハンドルとを備える収納キャビネットであって、
前記ラッチは前記扉を閉じることにより前記係止片に係止し且つ前記ハンドルを操作することにより前記係止片への係合が解除されるようになっていることを特徴とする収納キャビネット。
【請求項２】
前記ラッチは前記扉を閉じることにより前記係止片に係止し且つ前記ハンドルを引っ張ることにより前記係止片への係合が解除されるようになっていることを特徴とする請求項１に記載の収納キャビネット。
【請求項３】
前記ラッチは前記扉を閉じることにより前記係止片に係止し且つ前記ハンドルを回すことにより前記係止片への係合が解除されるようになっていることを特徴とする請求項１に記載の収納キャビネット。
【発明の詳細な説明】
【０００１】
【発明の属する技術分野】
本発明は、天井から吊り下げたり、他の収納キャビネットの上に積み重ねたりして高い位置に設けられる収納キャビネットに関する。
【０００２】
【従来の技術】
近年では、扉が設けられている収納キャビネットにおいて、扉が地震等の揺れで簡単に開かないようにするために、扉の閉状態を保持可能な扉保持機構が設けられている。この扉保持機構で一般的なものとしては、キャビネット本体と扉のそれぞれに互いに吸着する磁石を設けたものや、一対のバネ片を有する受け金具をキャビネット本体と扉のいずれか一方に設けると共に、その他方に、その受け金具のバネ片間に押し込むことによって係止される差込金具を設けたもの等が知られている。
【０００３】
そして、このような扉保持機構が設けられている収納キャビネットのうち、天井から吊り下げたり他の収納キャビネットの上に積み重ねたりして高い位置に設けられる収納キャビネットにおいては、従来、扉保持機構の本体側部材がキャビネット本体の底板上面の前部に固定され、扉保持機構の扉側部材が扉の裏面の下部に固定されている（実開昭５７−８８４４０号公報参照）。
【０００４】
【発明が解決しようとする課題】
しかしながら、このような従来の収納キャビネットにあっては、扉保持機構の本体側部材がキャビネット本体の底板上面に固定されていて収納空間に出っ張っているので、ものを出し入れする際に本体側部材が邪魔になって出し入れし難いという問題があった。
【０００５】
また、従来の扉保持機構は、磁石が有する磁力あるいは、バネ片が有する弾性力によって扉の閉状態を保持する構造であったために、キャビネット本体に収納されているものが地震等の振動で動いて扉にぶつかったりした場合には、その衝撃で扉が開いてしまう虞もある。
【０００６】
そこで、本発明は、上記のような問題に着目し、地震等の揺れで扉が簡単に開かないように扉保持機構を設けた構造でありながら、ものの出し入れがし易い収納キャビネットを提供することを第１の目的とし、地震等の揺れでも確実に扉が開かないようにすることができる収納キャビネットを提供することを第２の目的としている。
【０００７】
【課題を解決するための手段】
上記第１，第２の目的を達成するために、請求項１記載の発明の収納キャビネットは、収納空間が形成され且つ前記底板が左右両側板の下端部よりも上方位置に設けられているキャビネット本体と、前記底板の下側の底板の前端よりも後退した位置に設けられた幕板と、前記キャビネット本体に前記収納空間を開閉可能に取り付けられた扉と、前記幕板と前記側板の下端部と前記底板の前端部とに囲まれた凹部に設けられた係止片と、前記扉に設けられ且つ前記係止片に係止されるラッチと、前記扉の表側に設けられて前記ラッチの前記係止片への係止の解除操作をさせるハンドルとを備えている。しかも、前記ラッチは前記扉を閉じることにより前記係止片に係止し且つ前記ハンドルを操作することにより前記係止片への係合が解除されるようになっていることを特徴とする。
【０００８】
また、請求項２記載の発明の収納キャビネットは、前記ラッチは前記扉を閉じることにより前記係止片に係止し且つ前記ハンドルを引っ張ることにより前記係止片への係合が解除されるようになっていることを特徴とする。更に、請求項３の発明の収納キャビネットは、前記ラッチは前記扉を閉じることにより前記係止片に係止し且つ前記ハンドルを回すことにより前記係止片への係合が解除されるようになっていることを特徴とする。
【０００９】
【作用】
請求項１記載の発明の収納キャビネットでは、キャビネット本体の底板を左右両側板の下端部よりも上方位置に設け、その底板の下側の底板の前端よりも後退した位置に幕板を設け、この幕板と前記側板の下端部と前記底板の前端部とに囲まれた凹部に、扉の閉状態を保持する係止片を配設させたので、ものを出し入れする際に邪魔になる出っ張りを底板の上面から無くすことができる。
【００１０】
また、扉を閉じた時には、前記凹部の前方に扉が配設されるので、係止片はキャビネット本体の前方ならびに側方から見えなくなる。
【００１１】
しかも、扉を閉じると、扉に設けられているラッチが、キャビネット本体に設けられている係止片に係止される。そして、この係止状態は、扉の表側に設けられているハンドルによってのみ解除可能なので、キャビネット本体に収納されているものが地震等の振動で動いて扉にぶつかったりしても扉が開くことはない。
【００１２】
【発明の実施の形態】
以下、図１〜図４に基づいて、実施の形態１の収納キャビネットについて詳述する。図１は実施の形態１の収納キャビネットＣ１を示す斜視図、図２はその収納キャビネットＣ１の側面図、図３はその収納キャビネットＣ１の底面図であって、図中１はキャビネット本体、２は扉、３は扉保持機構である。また、図４は前記扉保持機構３を示す斜視図である。
【００１３】
前記キャビネット本体１は、上板１１ならびに底板１２と左右両側板１３，１４と背板１５と幕板１６とで構成されている。前記底板１２は、左右両側板１３，１４の下端部よりも上方位置に設けられ、前記幕板１６は、その底板１２の下側の底板１２の前端よりも後退した位置に設けられている。また、前記底板１２の前端には、扉２の裏面に当たる緩衝材１７が設けられている。
【００１４】
前記扉２は、キャビネット本体１の収納空間を開閉可能に、前記左側板１３の前端部にヒンジ２１を介して固定されている。
【００１５】
前記扉保持機構３は、扉の閉状態を保持するもので、キャビネット本体１に固定されている本体側部材３１と、扉２に固定されている扉側部材３２とで構成されている。前記本体側部材３１は、キャビネット本体１の幕板１６と前記左右両側板１３，１４の下端部と前記底板１２の前端部とに囲まれた凹部１０に配設されて右側板１４に固定されており、前記扉側部材３２は、扉２の裏面の下端部の前記本体側部材３１と対応する位置に固定されている。
【００１６】
また、図４に示すように、前記本体側部材３１は、右側板１４に固定される固定片３１１と、その固定片３１１の一端から固定片３１１と直角に突設された係止片３１２とでＬ字形に形成されており、前記扉側部材３２は、扉２の表側に設けられたハンドル３２１と、そのハンドル３２１によって操作されるラッチ３２２と、このハンドル３２１とラッチ３２２の連結部分が納められているケース３２３と、を備えている。
【００１７】
つまり、前記扉保持機構３は、扉２を閉じると、扉２に設けられている扉側部材３２のラッチ３２２を、キャビネット本体１に設けられている本体側部材３１の係止片３１２が係止し、扉２の閉状態を保持できるようになっている。また、この扉保持機構３は、ハンドル３２１を引くとラッチ３２２がケース３２３内に引っ込んでラッチ３２２と係止片３１２の係合が解除されるようになっており、ハンドル３２１を引くだけで扉２を開けることができるようになっている。
【００１８】
つまり、この実施の形態１の収納キャビネットＣ１では、扉２を閉じている時は、扉２の表側に設けられているハンドル３２１によってラッチ３２２を操作しなければラッチ３２２の係止状態を解除できないので、キャビネット本体１に収納されているものが地震等の振動で動いて扉２にぶつかったりしても扉２が開くことはない。しかも、扉２を閉じた時には、前記凹部１０の前方に扉２が配設されるので、本体側部材３１は前方ならびに側方から見えなくなるので、美観も損なわれない。
【００１９】
また、キャビネット本体１の底板１２の上面には、ものを出し入れする際に邪魔になる出っ張りが無いので、ものの出し入れがし易い。さらに、ハンドル３２１が扉２の下端部に配置されていることにより、収納キャビネットＣ１を高い位置に設けた場合でも扉２の開閉がし易い。
【００２０】
次に、図５〜図７に基づいて、実施の形態２の収納キャビネットＣ２について説明する。この収納キャビネットＣ２を説明するにあたっては、実施の形態１の収納キャビネットとＣ１異なる構成についてのみ説明する。なお、図面では実施の形態１と同一の構成には実施の形態１と同一の符号を付した。
【００２１】
図５は実施の形態２の収納キャビネットＣ２を示す斜視図、図６はその収納キャビネットＣ２の底面図で、この収納キャビネットＣ２は、キャビネット本体１の左右両側板のそれぞれに、一対の扉２ａ，２ｂが両開き方式で取り付けられている。
【００２２】
また、図７は、実施の形態２の収納キャビネットＣ２に採用された扉保持機構４を示しており、この扉保持機構４は、前記キャビネット本体１の幕板１６の前面中央部に固定された本体側部材４１と、前記一対の扉２ａ，２ｂの下端部の前記本体側部材４１と対応する位置に固定された扉側部材４２ａ，４２ｂとで構成されている。
【００２３】
前記本体側部材４１は、幕板１６に固定される固定部４１１と、その固定部４１１の両側部から直角に折曲られた立ち上がり部４１２と、その立ち上がり部４１２の先端から直角に前記固定部４１１と反対向きに折り曲げられた係止片４１３と、で構成されており、前記固定部４１１がビス等で幕板１６に固定されている。
【００２４】
前記扉側部材４２ａは、扉２ａの表側に設けられたハンドル４２１と、そのハンドル４２１によって操作されるラッチ４２２と、このハンドル４２１とラッチ４２２の連結部分が納められているケース４２３と、を備えている。なお、前記扉側部材４２ｂは、前記扉側部材４２ａを上下逆さにして用いただけのものなので構成は扉側部材４２ａと同一である。したがって、図面に同一符号を符して説明を省略する。
【００２５】
つまり、前記扉保持機構４は、扉２ａ，２ｂを閉じると、各扉２ａ，２ｂに設けられている扉側部材４２のラッチ４２２を、キャビネット本体１に設けられている本体側部材４１の係止片４１２が係止し、扉２ａ，２ｂの閉状態を保持できるようになっている。また、この扉保持機構３は、ハンドル４２１を扉２ａ，２ｂに沿って平行に下向きに回すと、ラッチ４２２がケース４２３内に引っ込んでラッチ４２２と係止片４１２の係合が解除されるようになっており、ハンドル４２１を回して引くことにより扉２ａ，２ｂを開けることができるようになっている。
【００２６】
つまり、この実施の形態２の収納キャビネットＣ２では、扉２ａ，２ｂを閉じている時は、扉２ａ，２ｂの表側に設けられているハンドル４２１によってラッチ４２２を操作しなければラッチ４２２の係止状態を解除できないので、キャビネット本体１に収納されているものが地震等の振動で動いて扉２ａ，２ｂにぶつかったりしても扉２ａ，２ｂが開くことはない。しかも、扉２ａ，２ｂを閉じた時には、前記凹部１０の前方に扉２ａ，２ｂが配設されるので、本体側部材４１は前方ならびに側方から見えなくなるので、美観も損なわれない。
【００２７】
また、キャビネット本体１の底板１２の上面には、ものを出し入れする際に邪魔になる出っ張りが無いので、ものの出し入れがし易い。
【００２８】
【発明の効果】
以上説明したように、請求項１記載の発明の収納キャビネットは、収納空間が形成され且つ前記底板が左右両側板の下端部よりも上方位置に設けられているキャビネット本体と、前記底板の下側の底板の前端よりも後退した位置に設けられた幕板と、前記キャビネット本体に前記収納空間を開閉可能に取り付けられた扉と、前記幕板と前記側板の下端部と前記底板の前端部とに囲まれた凹部に設けられた係止片と、前記扉に設けられ且つ前記係止片に係止されるラッチと、前記扉の表側に設けられて前記ラッチの前記係止片への係止の解除操作をさせるハンドルとを備える構造なので、地震等の揺れで扉が簡単に開かないようにできる構造でありながら、ものの出し入れがし易く、しかも美観も損なわれないという効果が得られる。
【００２９】
しかも、前記ラッチは前記扉を閉じることにより前記係止片に係止し且つ前記ハンドルを操作することにより前記係止片への係合が解除されるようになっている構造なので、地震等の揺れでも確実に扉が開かないようにすることができるという効果が得られる。
【図面の簡単な説明】
【図１】実施の形態１の収納キャビネットを示す斜視図である。
【図２】実施の形態１の収納キャビネットの側面図である。
【図３】実施の形態１の収納キャビネットの底面図である。
【図４】実施の形態１の収納キャビネットに採用した扉保持機構を示す斜視図である。
【図５】実施の形態２の収納キャビネットを示す斜視図である。
【図６】実施の形態２の収納キャビネットの底面図である。
【図７】実施の形態２の収納キャビネットに採用した扉保持機構を示す斜視図である。
【符号の説明】
Ｃ１，Ｃ２  収納キャビネット
１  キャビネット本体
１０  凹部
１１  上板
１２  底板
１３，１４  側板
１６  幕板
２，２ａ，２ｂ  扉
３，４  扉保持機構
３１，４１  本体側部材
３１２  係止片
３２，４２ａ，４２ｂ  扉側部材
３２１，４２１  ハンドル
３２２，４２２  ラッチ
【図１】
0003701714.tif 000002
【図２】
0003701714.tif 000003
【図３】
0003701714.tif 000004
【図４】
0003701714.tif 000005
【図５】
0003701714.tif 000006
【図６】
0003701714.tif 000007
【図７】
0003701714.tif 000008